(57)【要約】【課題】液冷装置の向きが変わる場合であっても、冷却液の流路に空気が入り込むことを抑制することを可能とする液冷装置を提供する。【解決手段】発熱部を冷却液によって冷却する液冷装置が、冷却液を貯留する冷却液タンクと、冷却液を冷却するラジエータと、冷却液タンクとラジエータとに連通しており、冷却液の流路である冷却管とを備え、冷却液タンクが、装置を静置した場合における水平方向において、ラジエータに隣接して設けられており、装置を静置した場合における冷却液タンクの重力方向のサイズが、装置を静置した場合における冷却液タンクの水平方向のサイズよりも大きい。【選択図】図１
2007264590.tif 000002
【特許請求の範囲】
【請求項１】
熱を生じる発熱部を有する装置に設けられ、前記発熱部を冷却液によって冷却する液冷装置であって、
前記冷却液を貯留する冷却液タンクと、
前記冷却液を冷却するラジエータと、
前記冷却液タンクと前記ラジエータとに連通しており、前記冷却液の流路である冷却管とを備え、
前記冷却液タンクは、前記装置を静置した場合における水平方向において、前記ラジエータに隣接して設けられており、
前記装置を静置した場合における前記冷却液タンクの重力方向のサイズは、前記装置を静置した場合における前記冷却液タンクの水平方向のサイズよりも大きいことを特徴とする液冷装置。
【請求項２】
前記冷却管は、前記装置を静置した場合における重力方向において、前記冷却液タンクの中央部分に連通することを特徴とする請求項１に記載の液冷装置。
【請求項３】
前記冷却液タンクは、前記装置を静置した場合における重力方向を上下方向とした場合に、前記中央部分から上方に向けて広がるとともに、前記中央部分から下方に向けて広がる形状を有することを特徴とする請求項２に記載の液冷装置。
【請求項４】
前記装置を静置した場合における重力方向を上下方向とした場合において、前記冷却液タンクの上部及び前記冷却液タンクの下部に、前記冷却液タンクに前記冷却液を注入するための注入口が設けられていることを特徴とする請求項２に記載の液冷装置。
【請求項５】
前記冷却液タンクは、１対の冷却液タンクであり、
前記１対の冷却液タンクは、前記ラジエータを挟んで設けられることを特徴とする請求項１に記載の液冷装置。
【請求項６】
熱を生じる発熱部を有する装置に設けられ、前記発熱部を冷却液によって冷却する液冷装置であって、
前記冷却液を貯留する１対の冷却液タンクと、
前記冷却液を冷却するラジエータと、
前記冷却液タンクと前記ラジエータとに連通しており、前記冷却液の流路である冷却管とを備え、
前記１対の冷却液タンクは、前記装置を静置した場合における重量方向を上下方向とした場合において、前記ラジエータを挟んで前記ラジエータの上方に設けられた上部タンクと、前記ラジエータを挟んで前記ラジエータの下方に設けられた下部タンクとであり、
前記上部タンクの上面の一部分は、前記上部タンクの上面の他部分よりも上方に張り出しており、
前記下部タンクの下面の一部分は、前記下部タンクの下面の他部分よりも下方に張り出しており、
前記上部タンクの形状は、前記下部タンクの形状と同じであることを特徴とする液冷装置。
【請求項７】
前記上部タンクの下面の一部分は、前記上部タンクの下面の他部分よりも下方に張り出しており、
前記下部タンクの上面の一部分は、前記下部タンクの上面の他部分よりも上方に張り出していることを特徴とする請求項６に記載の液冷装置。
【請求項８】
前記冷却管は、前記装置を静置した場合における重力方向において、前記上部タンク及び下部タンクの中央部分に連通しており、
前記上部タンク及び前記下部タンクは、前記装置を静置した場合における重力方向を上下方向とした場合に、前記中央部分から上方に向けて広がるとともに、前記中央部分から下方に向けて広がる形状を有することを特徴とする請求項６に記載の液冷装置。
【発明の詳細な説明】
【技術分野】
【０００１】
本発明は、熱を生じる発熱部を冷却液によって冷却する液冷装置に関する。
【背景技術】
【０００２】
従来、高輝度で発光するランプなどの光源と、光源が発する光をスクリーン上に投写する投写レンズとを備えた投写型映像表示装置が一般的に広く知られている。また、投写型映像表示装置は、光源が発する熱による影響を効率的に抑制するために、光源を冷却液によって冷却する液冷装置を備える。
【０００３】
具体的には、液冷装置は、冷却液が流れる流路と、温まった冷却液を冷やすラジエータとを有する。また、液冷装置は、ラジエータに流れ込む冷却液を一時的に貯留するリザーブタンク（以下、上りリザーブタンク）と、ラジエータから流れ出る冷却液を一時的に貯留するリザーブタンク（以下、下りリザーブタンク）とを有する。
【０００４】
このような液冷装置の一例について、図２５を参照しながら説明する。図２５に示すように、液冷装置は、光源などの冷却対象２５とラジエータ２００とを連結する配管２３を有しており、配管２３を介して冷却液を循環させることによって冷却対象２５を冷却する。なお、ポンプ２４が冷却液を配管２３内に送り出すことによって、冷却対象２５とラジエータ２００との間を冷却液が循環する。
【０００５】
ラジエータ２００は、冷却液が通るラジエータ内配管２０２と、冷却液を冷却する放熱フィン２０３とを有する。また、ファン２６によって風が吹きあてられることによって放熱フィン２０３が冷却される。
【０００６】
液冷装置は、ラジエータ２００に流れ込む冷却液を一時的に貯留する上りリザーブタンク２０４と、ラジエータから流れ出る冷却液を一時的に貯留する下りリザーブタンク２０５とを有する。
【０００７】
また、投写型映像表示装置を静置した場合における重力方向を上下方向とした場合に、上りリザーブタンク２０４は、ラジエータ２００の上方に設けられており、下りリザーブタンク２０５は、ラジエータ２００の下方に設けられている。これによって、冷却液を配管２３内に送り出すポンプ２４の負荷が軽減される。
【０００８】
投写型映像表示装置の上下方向のサイズが限られているため、上りリザーブタンク２０４及び下りリザーブタンク２０５の上下方向のサイズを大きくすることができない。一方で、冷却液の貯留量を十分に確保するために、上りリザーブタンク２０４及び下りリザーブタンク２０５の容量（体積）を大きくする必要がある。
【０００９】
従って、一般的に、上りリザーブタンク２０４及び下りリザーブタンク２０５の左右方向（水平方向）のサイズは、上りリザーブタンク２０４及び下りリザーブタンク２０５の上下方向（重力方向）のサイズよりも大きい。
【００１０】
また、上りリザーブタンク２０４の上方には、冷却液を貯留する冷却液タンク２０１が設けられており、冷却液タンク２０１には、注水口から冷却液が注水される。なお、冷却液タンク２０１の上部には、冷却液の循環をよくするために、空気の層が設けられる（例えば、特許文献１）。
【特許文献１】特開２００２−３５７８０３号公報
【発明の開示】
【発明が解決しようとする課題】
【００１１】
ここで、投写型映像表示装置としては、天井吊りタイプや携帯タイプの投写型映像表示装置なども考えられる。天井吊りタイプや携帯タイプの投写型映像表示装置では、投写型映像表示装置の向きが変わるため、空気が配管２３などに入り込む場合がある。このように、空気が配管２３などに入り込むと、冷却液の流量が減少するため、冷却対象２５の冷却効率が低下してしまう。
【００１２】
特に、上述した上りリザーブタンク２０４では、上下方向（重力方向）のサイズが左右方向（水平方向）のサイズよりも小さいため、投写型映像表示装置（すなわち、液冷装置）の向きが変わると、空気が配管２３などに入り込みやすい。
【００１３】
そこで、本発明は、上述した課題を解決するためになされたものであり、液冷装置の向きが変わる場合であっても、冷却液の流路に空気が入り込むことを抑制することを可能とする液冷装置を提供することを目的とする。
【課題を解決するための手段】
【００１４】
本発明の一の特徴は、熱を生じる発熱部を有する装置に設けられ、前記発熱部を冷却液によって冷却する液冷装置が、前記冷却液を貯留する冷却液タンクと、前記冷却液を冷却するラジエータと、前記冷却液タンクと前記ラジエータとに連通しており、前記冷却液の流路である冷却管とを備え、前記冷却液タンクが、前記装置を静置した場合における水平方向において、前記ラジエータに隣接して設けられており、前記装置を静置した場合における前記冷却液タンクの重力方向のサイズが、前記装置を静置した場合における前記冷却液タンクの水平方向のサイズよりも大きいことを要旨とする。
【００１５】
なお、「装置を静置する」とは、装置を傾けたりせずに、装置を水平面上に設置することである。
【００１６】
かかる特徴によれば、冷却液タンクの重力方向のサイズが冷却液タンクの水平方向のサイズよりも大きいため、液冷装置の向きが変わる場合であっても、冷却管に空気が入り込むことを抑制することができる。また、冷却液タンクの容量を確保することができる。
【００１７】
本発明の一の特徴は、本発明の上述した特徴において、前記冷却管が、前記装置を静置した場合における重力方向において、前記冷却液タンクの中央部分に連通することを要旨とする。
【００１８】
かかる特徴によれば、冷却管が、重力方向における冷却液タンクの中央部分に連通するため、液冷装置の上下が逆転する場合であっても、冷却管に空気が入り込むことを抑制することができる。
【００１９】
本発明の一の特徴は、本発明の上述した特徴において、前記冷却液タンクが、前記装置を静置した場合における重力方向を上下方向とした場合に、前記中央部分から上方に向けて広がるとともに、前記中央部分から下方に向けて広がる形状を有することを要旨とする。
【００２０】
かかる特徴によれば、冷却液タンクが、中央部分から上方に向けて広がるとともに、中央部分から下方に向けて広がる形状を有するため、液冷装置の上下が逆転する場合だけではなくて、液冷装置の向きが様々な方向に変わる場合であっても、冷却管に空気が入り込むことをさらに抑制することができる。
【００２１】
本発明の一の特徴は、本発明の上述した特徴において、前記装置を静置した場合における重力方向を上下方向とした場合において、前記冷却液タンクの上部及び前記冷却液タンクの下部に、前記冷却液タンクに前記冷却液を注入するための注入口が設けられていることを要旨とする。
【００２２】
かかる特徴によれば、冷却液タンクの上部及び冷却液タンクの下部に注入口が設けられているため、液冷装置の上下が逆転する場合であっても、冷却液タンクの上部又は冷却液タンクの下部に設けられた注入口のいずれか一方が上方に向けて開口する。従って、冷却液タンク内に冷却液を容易に注入することができる。
【００２３】
本発明の一の特徴は、本発明の上述した特徴において、前記冷却液タンクは、１対の冷却液タンクであり、前記１対の冷却液タンクは、前記ラジエータを挟んで設けられることを要旨とする。
【００２４】
かかる特徴によれば、１対の冷却液タンクは、ラジエータを挟んで設けられるため、ラジエータ内に空気が入り込むことを抑制することができる。
【００２５】
本発明の一の特徴は、熱を生じる発熱部を有する装置に設けられ、前記発熱部を冷却液によって冷却する液冷装置が、前記冷却液を貯留する１対の冷却液タンクと、前記冷却液を冷却するラジエータと、前記冷却液タンクと前記ラジエータとに連通しており、前記冷却液の流路である冷却管とを備え、前記１対の冷却液タンクが、前記装置を静置した場合における重量方向を上下方向とした場合において、前記ラジエータを挟んで前記ラジエータの上方に設けられた上部タンクと、前記ラジエータを挟んで前記ラジエータの下方に設けられた下部タンクとであり、前記上部タンクの上面の一部分が、前記上部タンクの上面の他部分よりも上方に張り出しており、前記下部タンクの下面の一部分が、前記下部タンクの下面の他部分よりも下方に張り出しており、前記上部タンクの形状は、前記下部タンクの形状と同じであることを要旨とする。
【００２６】
かかる特徴によれば、上部タンクの上面の一部分が、上部タンクの上面の他部分よりも上方に張り出しているため、上部タンクでは、上部タンクの上面の他部分よりも上方に張り出す上部タンクの上面の一部分に空気が溜まる。従って、液冷装置の向きが変わる場合であっても、上部タンク内の空気が冷却管内に空気が入り込むことを抑制することができる。
【００２７】
また、上部タンクの形状が、下部タンクの形状と同じであるため、液冷装置の上下が逆転する場合であっても、冷却管内に空気が入り込むことを抑制することができる。
【００２８】
本発明の一の特徴は、本発明の上述した特徴において、前記上部タンクの下面の一部分が、前記上部タンクの下面の他部分よりも下方に張り出しており、前記下部タンクの上面の一部分が、前記下部タンクの上面の他部分よりも上方に張り出していることを要旨とする。
【００２９】
かかる特徴によれば、下部タンクの上面の一部分が、下部タンクの上面の他部分よりも上方に張り出すため、下部タンクでは、下部タンクの上面の他部分よりも上方に張り出す下部タンクの上面の一部分に空気が溜まる。従って、液冷装置の向きが変わる場合であっても、下部タンク内の空気が冷却管内に空気が入り込むことを抑制することができる。
【００３０】
また、上部タンクの形状が、下部タンクの形状と同じであるため、液冷装置の上下が逆転する場合であっても、冷却管内に空気が入り込むことを抑制することができる。
【００３１】
本発明の一の特徴は、本発明の上述した特徴において、前記冷却管は、前記装置を静置した場合における重力方向において、前記前記上部タンク及び前記下部タンクの中央部分に連通しており、前記上部タンク及び前記下部タンクは、前記装置を静置した場合における重力方向を上下方向とした場合に、前記中央部分から上方に向けて広がるとともに、前記中央部分から下方に向けて広がる形状を有することを要旨とする。
【００３２】
かかる特徴によれば、上部タンク及び下部タンクが、中央部分から上方に向けて広がるとともに、中央部分から下方に向けて広がる形状を有するため、液冷装置の上下が逆転する場合だけではなくて、液冷装置の向きが様々な方向に変わる場合であっても、冷却管に空気が入り込むことをさらに抑制することができる。
【発明の効果】
【００３３】
本発明によれば、液冷装置の向きが変わる場合であっても、冷却液の流路に空気が入り込むことを抑制することを可能とする液冷装置を提供することができる。
【発明を実施するための最良の形態】
【００３４】
以下、この発明の実施形態の液冷装置を図１乃至図２４に基づいて説明していく。なお、説明の便宜上、従来項の図２５に示した液冷装置の構成要素と同一の構成要素には同一の符号を付記してその説明を省略する場合がある。
【００３５】
なお、以下においては、液冷装置が設けられた装置を静置した場合における重力方向を上下方向として説明し、液冷装置が設けられた装置を静置した場合における水平方向を左右方向として説明する。「装置を静置する」とは、装置を傾けたりせずに、装置を水平面上に設置することである。
【００３６】
［第１実施形態］
（液冷装置の構成）
図１（ａ）（ｂ）はこの発明の実施形態の液冷装置の一例を示した説明図である。この液冷装置は、冷却対象２５（熱を生じる発熱部）とラジエータ部２１Ａとの間で冷却液を循環させるように構成される。前記ラジエータ部２１Ａは、ジグザグな形状を有するラジエータ内配管２１ａを有しており、このラジエータ内配管２１ａの周囲に放熱フィン部２１ｂを有している。そして、このラジエータ部２１Ａの左右両側に縦長の四角筒形状或いは円筒形状等を有する冷却液タンク２２Ａが配置されている。各冷却液タンク２２Ａはラジエータ部２１Ａの側面の長さと略同じ長さ（高さ）を有しており、その縦方向の略中央部分に前記ラジエータ内配管２１ａに接続される接続口（ポート）２２ａが形成されている。冷却液タンク２２Ａの上下方向のサイズは、冷却液タンク２２Ａの左右方向のサイズよりも大きい。また、循環用冷却液配管２３（冷却管）に接続される接続口（ポート）も冷却液タンク２２Ａの縦方向の略中央部分に形成されている。すなわち、各冷却液タンク２２Ａ中の空気溜まり部となる箇所は前記接続口（ポート）よりも上方に存在する。冷却液タンク２２Ａの上端及び下端には注水口（エア抜き部を兼ねる）が設けられている。循環用冷却液配管２３にはポンプ２４が設けられており、このポンプ２４によって冷却液は前記循環用冷却液配管２３及び前記ラジエータ内配管２１ａ内を循環させられる。ラジエータ部２１Ａによって冷却された冷却液は液冷ジャケット部２５に導かれる。この液冷ジャケット部２５上に冷却対象が配置される。冷却対象から熱を奪い取って温度上昇した冷却液は循環用冷却液配管２３を経てラジエータ部２１Ａに導かれる。ラジエータ部２１Ａの放熱フィン部２１ｂに伝達された熱は図示しないファンから送風された空気に奪い取られる。
【００３７】
上記構成の液冷装置であれば、図１（ａ）に示すラジエータ部２１Ａの正配置においても、図１（ｂ）に示すラジエータ部２１Ａの上下逆配置においても、各冷却液タンク２２Ａ中の空気溜まり部となる箇所はそれぞれ前記接続口（ポート）よりも上方に存在することになり、これによって液冷装置を上下逆に配置しても使用可能となる。また、液冷装置のシステム全体（ラジエータ部やポンプなどのセット）については上下逆となってもポンプ逆回転等の変更は必要ないことになる。なお、かかる液冷装置において、各冷却液タンク２２Ａがラジエータ部２１Ａの側面の長さと略同じ長さ（高さ）を有することに限るものではなく、短い長さ（高さ）を有するものでもよい。また、前記接続口は前記中央から幾分はずれた箇所に位置していてもよい。また、冷却液タンクはラジエータ部と一体化されていてもよいし、或いは、ラジエータ部に別途取り付けられる構成としてもよい。また、前記ファンについてもラジエータ部と一体化されていてもよいし、或いは、ラジエータ部に別途取り付けられる構成としてもよい。以下に示す構成例においても同様である。
【００３８】
［第２実施形態］
（液冷装置の構成）
図２（ａ）（ｂ）はこの発明の実施形態の液冷装置の他の例を示した説明図である。この液冷装置は、ラジエータ部２１Ｂを備えている点で図１に示した液冷装置と相違しており、その他の点では図１に示した液冷装置と共通の構成を有している。ラジエータ部２１Ｂは、上側ポート部と下側ポート部との間にラジエータ内配管２１ｃを複数並列に配置して成る。そして、前記ラジエータ内配管２１ｃの周囲に放熱フィン部２１ｂを有している。また、ラジエータ部２１Ｂの上側ポート部の左端面から引き出されたラジエータ内配管２１ａは左側の冷却液タンク２２Ａの縦方向の略中央に位置する接続口（ポート）２２ａに接続されており、ラジエータ部２１Ｂの下側ポート部の右端面から引き出されたラジエータ内配管２１ａは右側の冷却液タンク２２Ａの縦方向の略中央に位置する接続口（ポート）２２ａに接続されている。かかる構成の液冷装置は、図２（ａ）に示すラジエータ部２１Ｂの正配置においても、図２（ｂ）に示すラジエータ部２１Ｂの上下逆配置においても、各冷却液タンク２２Ａ中の空気溜まり部となる箇所はそれぞれ前記接続口（ポート）よりも上方に存在することになり、これによって液冷装置を上下逆に配置しても使用可能となる。
【００３９】
［第３実施形態］
（液冷装置の構成）
図３（ａ）（ｂ）はこの発明の実施形態の液冷装置の他の例を示した説明図である。図１に示した液冷装置との相違点は、二つの冷却液タンク２２Ａの一方を備えないで前記ラジエータ内配管２１ａと前記循環用冷却液配管２３とを直接的に接続している点である。かかる構成の液冷装置は、図３（ａ）に示すラジエータ部２１Ａの正配置においても、図３（ｂ）に示すラジエータ部２１Ａの上下逆配置においても、一つの冷却液タンク２２Ａ中の空気溜まり部となる箇所はそれぞれ前記接続口（ポート）よりも上方に存在することになり、これによって液冷装置を上下逆に配置しても使用可能となる。なお、前記直接的に接続されるラジエータ内配管２１ａを真っ直ぐに形成して前記循環用冷却液配管２３に接続してもよい。
【００４０】
［第４実施形態］
（液冷装置の構成）
図４（ａ）（ｂ）はこの発明の実施形態の液冷装置の他の例を示した説明図である。図２に示した液冷装置との相違点は、二つの冷却液タンク２２Ａの一方を備えていない点である。そして、ラジエータ部２１Ｂの上側ポート部の左端面から引き出されたラジエータ内配管２１ａが前記循環用冷却液配管２３に直接的に接続されている。かかる構成の液冷装置は、図４（ａ）に示すラジエータ部２１Ｂの正配置においても、図４（ｂ）に示すラジエータ部２１Ｂの上下逆配置においても、一つの冷却液タンク２２Ｂ中の空気溜まり部となる箇所はそれぞれ前記接続口（ポート）よりも上方に存在することになり、これによって液冷装置を上下逆に配置しても使用可能となる。なお、前記直接的に接続されるラジエータ内配管２１ａを真っ直ぐに形成して前記循環用冷却液配管２３に接続してもよい。
【００４１】
［第５実施形態］
（液冷装置の構成）
図５はこの発明の実施形態の液冷装置の他の例を示した説明図である。図１に示した液冷装置との相違点は、二つの冷却液タンク２２Ａに代えて二つの冷却液タンク２２Ｂを備えている点である。一つの冷却液タンク２２Ｂは、前記ラジエータ部２１Ａの左側辺から上辺にかけて鉤型に配置されており、他の一つの冷却液タンク２２Ｂは前記ラジエータ部２１Ａの右側辺から下辺にかけて鉤型に配置されている。そして、各冷却液タンク２２Ｂの側辺部分及び上下辺部分はラジエータ部２１Ａの側面の長さと略同じ長さ（高さ）を有しており、前記側辺部分の縦方向の略中央部分に前記ラジエータ内配管２１ａに接続される接続口（ポート）２２ａが形成されている。また、循環用冷却液配管２３に接続される接続口（ポート）も前記側辺部分の縦方向の略中央部分に形成されている。また、各冷却液タンク２２Ｂはそれらの間の斜め４５°の線に対して略直交する斜め面を有しており、この斜め面の部分に注水口（エア抜き部を兼ねる）を有している。かかる構成の液冷装置であれば、上下逆配置のみならず、例えば斜め４５°の傾斜配置も可能となる。なお、かかる構成において、ラジエータ部２１Ｂを備える構成としてもよいし、一方の冷却液タンク２２Ｂを備えない構成とすることもできる。前記斜め面を形成せずに垂直面或いは水平面の箇所に注水口を設けてもよい。また、各冷却液タンク２２Ｂの側辺部分及び上下辺部分の長さはラジエータ部２１Ａの各辺の長さより短くてもよい。
【００４２】
［第６実施形態］
（液冷装置の構成）
図６はこの発明の実施形態の液冷装置の他の例を示した説明図である。図１に示した液冷装置との相違点は、二つの冷却液タンク２２Ｃを斜向かいに備えている点である。冷却液タンク２２Ｃは四角筒形状或いは円筒形状等を有する。各冷却液タンク２２Ｃは、ラジエータ部２１Ａの側面の長さよりも短い長さ（高さ）を有しており、その縦方向の略中央部分に前記ラジエータ内配管２１ａに接続される接続口（ポート）２２ａが形成されている。また、循環用冷却液配管２３に接続される接続口（ポート）も冷却液タンク２２Ｃの縦方向の略中央部分に形成されている。すなわち、各冷却液タンク２２Ｃ中の空気溜まり部となる箇所はそれぞれ前記接続口（ポート）よりも上方に存在する。また、かかる構成において、ラジエータ部２１Ｂを備える構成としてもよいし、一方の冷却液タンク２２Ｃを備えない構成とすることもできる。
【００４３】
［第７実施形態］
（液冷装置の構成）
図７はこの発明の実施形態の液冷装置の他の例を示した説明図である。図１に示した液冷装置との相違点は、ラジエータ部２１Ａの上辺側と下辺側に冷却液タンク２２Ｄを備えている点である。各冷却液タンク２２Ｄは、ラジエータ部２１Ａの上下辺の長さと略同じ長さ（幅）を有して右上がりに斜め配置されている。各冷却液タンク２２Ｄの右端位置に当該冷却液タンク２２Ｄの最も高い箇所が形成されており、正配置においてこの箇所が空気溜まり部となる。また、各冷却液タンク２２Ｄの左端位置に当該冷却液タンク２２Ｄの最も低い箇所が形成されており、逆配置においてこの箇所が空気溜まり部となる。すなわち、冷却液タンク２２Ｄの上面の一部分（右端）は、液冷タンク２２Ｄの上面の他部分（左端）よりも上方に張り出している。また、冷却液タンク２２Ｄの下面の一部分（左端）は、液冷タンク２２Ｄの下面の他部分（右端）よりも下方に張り出している。循環用冷却液配管２３に接続される接続口（ポート）は各冷却液タンク２２Ｄの縦方向の略中央部分に形成されている。また、前記ラジエータ内配管２１ａに接続される接続口（ポート）２２ａは、上側の冷却液タンク２２Ｄにおいては右端の下面に形成されており、下側の冷却液タンク２２Ｄにおいては左端の上面に形成されている。すなわち、各冷却液タンク２２Ｄ中の空気溜まり部となる箇所はそれぞれ前記接続口（ポート）よりも上方に存在する。なお、かかる構成において、ラジエータ部２１Ｂを備える構成としてもよいし、一方の冷却液タンク２２Ｄを備えない構成とすることもできる。
【００４４】
［第８実施形態］
（液冷装置の構成）
図８はこの発明の実施形態の液冷装置の他の例を示した説明図である。図７に示した液冷装置との相違点は、ラジエータ部２１Ａの上辺側と下辺側に冷却液タンク２２Ｅを備えている点である。各冷却液タンク２２Ｅは、その中央側が上下に出っ張った略四角筒形状或いは略円筒形状等を有している。すなわち、各冷却液タンク２２Ｅの中央部分に当該冷却液タンク２２Ｅの最も高い箇所と最も低い箇所が形成されており、正配置において前記最も高い箇所が空気溜まり部となり、上下逆配置において前記最も低い箇所が空気溜まり部となる。循環用冷却液配管２３に接続される接続口（ポート）は各冷却液タンク２２Ｅの側面の略中央部分に形成されている。また、前記ラジエータ内配管２１ａに接続される接続口（ポート）２２ａも各冷却液タンク２２Ｅの側面の略中央部分に形成されている。すなわち、各冷却液タンク２２Ｅ中の空気溜まり部となる箇所はそれぞれ前記接続口（ポート）よりも上方に存在する。なお、かかる構成において、ラジエータ部２１Ｂを備える構成としてもよいし、一方の冷却液タンク２２Ｅを備えない構成とすることもできる。
【００４５】
［第９実施形態］
（液冷装置の構成）
図９はこの発明の実施形態の液冷装置の他の例を示した説明図である。図１に示した液冷装置との相違点は、ストレート形状である冷却液タンク２２Ａに代えて、中央側の部分（接続口が形成される部分）が括れた形状を有する冷却液タンク２２Ｆを備えている点である。各冷却液タンク２２Ｆ中の空気溜まり部となる箇所及び空気溜まり部となりうる箇所は、前記ラジエータ内配管２１ａと各冷却液タンク２２Ｆとの接続口２２ａ及び前記循環用冷却液配管２３と各冷却液タンク２２Ｆとの接続口よりも左右側に拡大して存在する。すなわち、冷却液タンク２２Ｆは、中央部分（接続口２２ａが設けられた部分）から上方に向けて広がる形状を有する。また、冷却液タンク２２Ｆは、中央部分（接続口２２ａが設けられた部分）から下方に向けて広がる形状を有する。
【００４６】
各冷却液タンク２２Ｆは、例えば、図１０（ａ）〜（ｄ）に示す形状を有している。図１０（ａ）に示す冷却液タンク２２Ｆは、偏平角筒を二方向から括れさせた形状（括れていない側の二面は互いに平行である）を有する。図１０（ｂ）に示す冷却液タンク２２Ｆは、角筒を四方向から括れさせた形状を有する。図１０（ｃ）に示す冷却液タンク２２Ｆは、前記接続口を中心とする偏平円筒形（円板形）を有しており、前記接続口は偏平円筒形の周面の縁位置よりも内側に存在する。図１０（ｄ）に示す冷却液タンク２２Ｆは、上下に長い円筒形状の中央部分を括れさせた形状を有し、この中央部分（括れ位置）に前記接続口を形成している。
【００４７】
図１１（ａ）（ｂ）は図９に示した液冷装置を傾けた状態を示している。先述のごとく、冷却液タンク２２Ｆ中の空気溜まり部となる箇所及び空気溜まり部となりうる箇所は、前記ラジエータ内配管２１ａと各冷却液タンク２２Ｆとの接続口２２ａ及び前記循環用冷却液配管２３と各冷却液タンク２２Ｆとの接続口よりも左右側に拡大して存在しており、前記ラジエータ部２１Ａが±９０度だけでなくその他の角度で傾いて配置されるときにも前記空気溜まり部となる箇所及び空気溜まり部となりうる箇所は前記接続口よりも上側に存在する。これにより、液冷装置をどのように傾けても前記空気溜まり部に空気が溜まり、前記接続口から配管内に空気が入り込むのをほぼ確実に防止することができる。
【００４８】
冷却液タンク２２Ｆの形状は、図１０に示した形状に限られるものではなく、例えば、図１２（ａ）に示す断面形状、或いは、図１２（ｂ）に示す断面形状、或いは、図１２（ｃ）に示す断面形状を有するものでもよい。すなわち、冷却液タンク２２Ｆ中の空気溜まり部となる箇所及び空気溜まり部となりうる箇所が接続口よりも左右側に拡大して存在していればよい。なお、かかる構成において、ラジエータ部２１Ｂを備える構成としてもよ
いし、一方の冷却液タンク２２Ｆを備えない構成とすることもできる。
【００４９】
［第１０実施形態］
（液冷装置の構成）
図１３はこの発明の実施形態の液冷装置の他の例を示した説明図である。図５に示した液冷装置との相違点は、冷却液タンク２２Ｂに代えて冷却液タンク２２Ｇを備えた点である。冷却液タンク２２Ｇは、冷却液タンク２２Ｂと同様に鉤型を有する一方、上述した冷却液タンク２２Ｆと同様に、冷却液タンク２２Ｇの側辺部分の空気溜まり部となる箇所及び空気溜まり部となりうる箇所は接続口よりも左右側に拡大して存在する。なお、かかる構成において、ラジエータ部２１Ｂを備える構成としてもよいし、一方の冷却液タンク２２Ｇを備えない構成とすることもできる。
【００５０】
［第１１実施形態］
（液冷装置の構成）
図１４はこの発明の実施形態の液冷装置の他の例を示した説明図である。図６に示した液冷装置との相違点は、冷却液タンク２２Ｃに代えて冷却液タンク２２Ｈを備えた点である。二つの冷却液タンク２２Ｈは冷却液タンク２２Ｃと同様に斜向かいに配置される一方、上述した冷却液タンク２２Ｆと同様に、冷却液タンク２２Ｈの空気溜まり部となる箇所及び空気溜まり部となりうる箇所は接続口よりも左右側に拡大して存在する。なお、かかる構成において、ラジエータ部２１Ｂを備える構成としてもよいし、一方の冷却液タンク２２Ｈを備えない構成とすることもできる。
【００５１】
［第１２実施形態］
（液冷装置の構成）
図１５はこの発明の実施形態の液冷装置の他の例を示した説明図である。図７に示した液冷装置との相違点は、冷却液タンク２２Ｄに代えて冷却液タンク２２Ｉを備えた点である。二つの冷却液タンク２２Ｉは冷却液タンク２２Ｄと同様にラジエータ部２１Ａの上側と下側に配置される一方、上述した冷却液タンク２２Ｆと同様に、冷却液タンク２２Ｉの空気溜まり部となる箇所及び空気溜まり部となりうる箇所は接続口よりも左右側に拡大して存在する。なお、かかる構成において、ラジエータ部２１Ｂを備える構成としてもよいし、一方の冷却液タンク２２Ｉを備えない構成とすることもできる。
【００５２】
［第１３実施形態］
（液冷装置の構成）
図１６はこの発明の実施形態の液冷装置の他の例を示した説明図である。図８に示した液冷装置との相違点は、冷却液タンク２２Ｅに代えて冷却液タンク２２Ｊを備えた点である。二つの冷却液タンク２２Ｊは冷却液タンク２２Ｅと同様にラジエータ部２１Ａの上側と下側に配置される一方、上述した冷却液タンク２２Ｆと同様に、冷却液タンク２２Ｊの空気溜まり部となる箇所及び空気溜まり部となりうる箇所は接続口よりも左右側に拡大して存在する。冷却液タンク２２Ｊは、例えば、図１８（ａ）に示すように、略ビヤ樽形（断面円形）を有するが、断面四角形状等とすることもできる。なお、かかる構成において、ラジエータ部２１Ｂを備える構成としてもよいし、一方の冷却液タンク２２Ｊを備えない構成とすることもできる。
【００５３】
［第１４実施形態］
（液冷装置の構成）
図１７はこの発明の実施形態の液冷装置の他の例を示した説明図である。図８に示した液冷装置との相違点は、冷却液タンク２２Ｅに代えて冷却液タンク２２Ｋを備えた点である。二つの冷却液タンク２２Ｋは冷却液タンク２２Ｅと同様にラジエータ部２１Ａの上側と下側に配置される一方、上述した冷却液タンク２２Ｆと同様に、冷却液タンク２２Ｋの空気溜まり部となる箇所及び空気溜まり部となりうる箇所は接続口よりも左右側に拡大して存在する。冷却液タンク２２Ｋは、例えば、図１８（ｂ）に示すように、略円筒形（断面円形）を有するが、四角筒断形状等とすることもできる。なお、かかる構成において、ラジエータ部２１Ｂを備える構成としてもよいし、一方の冷却液タンク２２Ｋを備えない構成とすることもできる。
【００５４】
また、以上説明した液冷装置において各冷却液タンクに正配置用と逆配置用に注水口（エア抜き部）を二つ備えることとしたが、一つだけ備える構成としてもよいし、或いは、タンク自体に注水口（エア抜き部）を備えない構成を採用することもできる。また、冷却液タンクはラジエータ部２１の周囲側に限らず、この周囲側から外れてラジエータ部２１の前側又は後側（ファン或いはファンによる送風の邪魔にならない位置とする）に位置していてもよい。
【００５５】
［第１５実施形態］
（投写型映像表示装置の構成）
図１９は３板型の投写型映像表示装置に液冷装置を適用した構成例を示した説明図である。この投写型映像表示装置は３つの照明装置５１Ｒ，５１Ｇ，５１Ｂを備える。各照明装置５１は、ＬＥＤ（発光ダイオード）１１と、テーパ型ロッドインテグレータ１２と、偏光変換装置１３と、略直方体形状のロッドインテグレータ１５と、を備えて成る。各ＬＥＤ１１は、それぞれ液冷ジャケット２５上に配置されている。液冷ジャケット２５には循環用冷却液配管２３が直列的に接続されており、ラジエータ部２１Ａから出た冷却液は、赤色ＬＥＤ１１用の液冷ジャケット２５、青色ＬＥＤ１１用の液冷ジャケット２５、緑色ＬＥＤ１１用の液冷ジャケット２５の順で循環される。各照明装置５１から出射された各色光が各色用の液晶表示パネル１Ｒ，１Ｇ，１Ｂを透過することによって各色映像光が生成される。そして、各色映像光はクロスダイクロイックプリズム２によって合成されてカラー映像光となる。このカラー映像光は投写レンズ３によって投写される。
【００５６】
図１９に示す構成例では、前記３つの液冷ジャケット２５に直列的に循環用冷却液配管２３を連結しているが、並列的に接続してもよい。また、ラジエータ部２１Ａから出た最も低温状態の冷却液を赤色ＬＥＤ１１用の液冷ジャケット２５に導いているが、これに限るものではなく、例えば、温度変動によって発光特性が変化しやすいＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）に最も低温状態の冷却液を供給するようにしてもよい。また、単板型の投写型映像表示装置にこの発明の液冷装置を適用することもできる。光源がランプである投写型映像表示装置にもこの発明の液冷装置を適用できる。ラジエータ部２１Ａに限らず他のラジエータ部等を用いることができる。
【００５７】
図２０は投写型映像表示装置に液冷装置を適用した構成の光学要素と液冷装置の構成要素との配置関係の一例を示した説明図であり、図１９に示した構成に対応させたものとしている。なお、図１９に示した投写型映像表示装置について空冷を行う場合の構成例を参考として図２１に示しておく。空冷装置であれば３系統の装置（ファンが３台必要）となるが、液冷装置であれば１系統の装置として構成できる。
【００５８】
［第１６実施形態］
以下において、本発明の第１６実施形態について図面を参照しながら説明する。なお、第１６実施形態では、上述した第１５実施形態と第１６実施形態との相違点について主として説明する。
【００５９】
具体的には、上述した第１５実施形態では、循環用冷却液配管は、投写レンズを跨ぐように配置されている。これに対して、第１６実施形態では、循環用冷却液配管は、投写レンズを跨がずに、各ＬＥＤを直列的に連結する。
【００６０】
（投写型映像表示装置の構成）
以下において、本発明の第１６実施形態に係る投写型映像表示装置の構成について説明する。図２２は、本発明の第１６実施形態に係る投写型映像表示装置１００を示す図である。
【００６１】
図２２に示すように、投写型映像表示装置１００は、複数の光源（赤色光源１２５Ｒ、緑色光源１２５Ｇ及び青色光源１２５Ｂ）と、複数のテーパロッド（テーパロッド１１２Ｒ、テーパロッド１１２Ｇ及びテーパロッド１１２Ｂ）と、複数の液晶パネル（液晶パネル１０１Ｒ、液晶パネル１０１Ｇ及び液晶パネル１０１Ｂ）と、ダイクロイックプリズム１０２と、投写レンズ１０３とを有する。
【００６２】
赤色光源１２５Ｒは、赤色光を発するＬＥＤなどである。同様に、緑色光源１２５Ｇは、緑色光を発するＬＥＤなどであり、青色光源１２５Ｂは、青色光を発するＬＥＤなどである。なお、赤色光源１２５Ｒ、緑色光源１２５Ｇ及び青色光源１２５Ｂは、熱を発する発熱部（冷却対象）である。
【００６３】
テーパロッド１１２Ｒは、赤色光源１２５Ｒが発する赤色光を均質化する。同様に、
テーパロッド１１２Ｇは、緑色光源１２５Ｇが発する緑色光を均質化し、テーパロッド１１２Ｂは、青色光源１２５Ｂが発する青色光を均質化する。
【００６４】
液晶パネル１０１Ｒは、テーパロッド１１２Ｒによって均質化された赤色光を変調する。同様に、液晶パネル１０１Ｇは、テーパロッド１１２Ｇによって均質化された緑色光を変調し、液晶パネル１０１Ｂは、テーパロッド１１２Ｂによって均質化された青色光を変調する。
【００６５】
ダイクロイックプリズム１０２は、液晶パネル１０１Ｒから出射される赤色光、液晶パネル１０１Ｇから出射される緑色光及び液晶パネル１０１Ｂから出射される青色光を合成して、合成光を投写レンズ１０３に導く。
【００６６】
投写レンズ１０３は、ダイクロイックプリズム１０２によって合成された合成光をスクリーンなどに投写する。
【００６７】
ここで、投写型映像表示装置１００は、第１実施形態〜第１４実施形態で示した液冷装置を有する。具体的には、液冷装置は、ラジエータ１２１と、冷却液タンク１２２と、循環用冷却液配管１２３と、ポンプ１２４とを有する。
【００６８】
ラジエータ１２１は、赤色光源１２５Ｒ、緑色光源１２５Ｇ及び青色光源１２５Ｂなどの発熱部によって温められた冷却液を放熱フィンなどによって冷却する装置である。なお、ラジエータ１２１に設けられる放熱フィンは、投写型映像表示装置１００の外部に面するファン１２６によって冷却される。なお、ファン１２６は、ラジエータ１２１に設けられる放熱フィンだけではなくて、投写型映像表示装置１００の内部を全体的に冷却する。
【００６９】
一対の冷却液タンク１２２は、冷却液を貯留するタンクである。なお、冷却液タンク１２２の形状や配置は、上述した第１実施形態〜第１４実施形態に示したように、様々な形状や配置が考えられる。
【００７０】
循環用冷却液配管１２３は、赤色光源１２５Ｒ、緑色光源１２５Ｇ及び青色光源１２５Ｂなどの発熱部の近傍に設けられた冷却液の流路である。また、循環用冷却液配管１２３は、ラジエータ１２１、一対の冷却液タンク１２２及びポンプ１２４に連通する。さらに、循環用冷却液配管１２３は、赤色光源１２５Ｒ、緑色光源１２５Ｇ及び青色光源１２５Ｂが配置された液冷ジャケット部（不図示）に連通する。
【００７１】
ポンプ１２４は、循環用冷却液配管１２３内に冷却液を送り出す装置である。
【００７２】
なお、複数の光源を直列的に冷却する場合には、ラジエータ１２１によって冷却された冷却液が、エネルギーが高い順に光源を冷却するように、循環用冷却液配管１２３が配置されることが好ましい。また、ファン１２６は、ラジエータ１２１の近傍に設けられていることが好ましい。
【００７３】
［第１７実施形態］
以下において、本発明の第１７実施形態について図面を参照しながら説明する。なお、第１６実施形態では、上述した第１６実施形態と第１７実施形態との相違点について主として説明する。
【００７４】
具体的には、上述した第１６実施形態では、投写型映像表示装置は、複数のＬＥＤを有する。これに対して、第１７実施形態では、投写型映像表示装置は、複数のＬＥＤに代えて、白色ランプを有する。
【００７５】
（投写型映像表示装置の構成）
以下において、本発明の第１７実施形態に係る投写型映像表示装置の構成について説明する。図２３は、本発明の第１７実施形態に係る投写型映像表示装置１００を示す図である。なお、図２３では、上述した第１６実施形態（図２２）と同様の構成については同様の符号を付していることに留意すべきである。
【００７６】
図２３に示すように、投写型映像表示装置１００は、赤色光源１２５Ｒ、緑色光源１２５Ｇ及び青色光源１２５Ｂに代えて、白色光を発する白色光源１２５Ｗを有する。
【００７７】
白色光源１２５Ｗは、白色光を発するＵＨＰランプなどである。また、白色光源１２５Ｗは、熱を発する発熱部（冷却対象）である。
【００７８】
投写型映像表示装置１００は、テーパロッド１１２Ｒ、テーパロッド１１２Ｇ及びテーパロッド１１２Ｂに代えて、均質化手段１４０を有する。
【００７９】
均質化手段１４０は、フライアイレンズやコンデンサレンズなどによって構成されており、白色光源１２５Ｗが発する白色光を均質化する。なお、均質化手段１４０は、白色光源１２５Ｗが発する白色光の偏光方向を揃えるＰＢＳなどを含んでもよい。
【００８０】
投写型映像表示装置１００は、白色光源１２５Ｗが発する光を分離する分離手段（ミラー１３１〜ミラー１３５）を有する。なお、ミラー１３１〜ミラー１３５は、所定波長の光のみを反射するように構成されたダイクロイックミラーであってもよく、所定方向の偏光方向を有する光のみを反射するように構成された偏光ミラーであってもよい。
【００８１】
［第１８実施形態］
以下において、本発明の第１８実施形態について図面を参照しながら説明する。なお、第１８実施形態では、投写型映像表示装置が天井から吊るされる場合について説明する。
【００８２】
（投写型映像表示装置の取り付け構造）
以下において、本発明の第１８実施形態に係る投写型映像表示装置の取り付け構造について、図面を参照しながら説明する。図２４は、本発明の第１８実施形態に係る投写型映像表示装置１００の取り付け構造を示す図である。なお、図２４では、上述した第１６実施形態（図２２）と同様の構成については同様の符号を付していることに留意すべきである。
【００８３】
図２４に示すように、投写型映像表示装置１００には、吊り下げ金具３２０が取り付けられており、吊り下げ金具３２０は、天井などに固定されたアーム３３０に取り付けられる。
【００８４】
このように、投写型映像表示装置１００が天井から吊り下げられると、冷却液タンク１２２の上下が逆転する。また、投写型映像表示装置１００はスクリーン上に映像を表示するために、所定の傾きを持って天井から吊り下げられる。
【００８５】
本発明の各実施形態によれば、投写型映像表示装置１００が設置された場合おける重力方向を上下方向とした場合に、冷却液タンク１２２の上下方向のサイズが冷却液タンク１２２の水平方向のサイズよりも大きいため、循環用冷却液配管１２３内に空気が入り込む可能性を低減することができる。
【００８６】
従って、冷却液タンク１２２の容量を確保しながら、冷却液による冷却効率の低下を抑制することができる。
【００８７】
［その他の実施形態］
また、本願の液冷装置は投写型映像表示装置に適用されるものに限定されるわけではなく、パーソナルコンピュータなど、発熱部材（ＬＥＤやＣＰＵなど）を有する他の機器にも適用できる。特に、組立に際して逆さまの状態を一時的にでもとることとなる機器、搬送に際して逆さまに荷積みされる可能性のある機器、使用に際して逆さまに使用されることがある機器（例えば、天吊型の映像表示装置など）、及び車載機器（車の傾斜によって当該機器も傾斜することになる）等において、本願の液冷装置は好適に利用できることになる。また、正配置される複数の上記投写型映像表示装置（リアプロジェクションテレビ）と、前記正配置される投写型映像表示装置の上に上下逆配置される複数の上記投写型映像表示装置を組み合わせることにより、マルチスクリーンの大型映像表示装置を実現しても良い。或いは、正配置される複数の上記投写型映像表示装置（液晶プロジェクタ）と、前記正配置される投写型映像表示装置の上に上下逆配置される複数の上記投写型映像表示装置を組み合わせることにより、高精細画像を表示する液晶プロジェクタ装置を実現しても良い。
【図面の簡単な説明】
【００８８】
【図１】この発明の実施形態の液冷装置を示した説明図であり、同図（ａ）は正配置状態を、同図（ｂ）は上下逆配置状態を示している。
【図２】この発明の実施形態の液冷装置の他の例を示した説明図であり、同図（ａ）は正配置状態を、同図（ｂ）は上下逆配置状態を示している。
【図３】この発明の実施形態の液冷装置の他の例を示した説明図であり、同図（ａ）は正配置状態を、同図（ｂ）は上下逆配置状態を示している。
【図４】この発明の実施形態の液冷装置の他の例を示した説明図であり、同図（ａ）は正配置状態を、同図（ｂ）は上下逆配置状態を示している。
【図５】この発明の実施形態の液冷装置の他の例を示した説明図である。
【図６】この発明の実施形態の液冷装置の他の例を示した説明図である。
【図７】この発明の実施形態の液冷装置の他の例を示した説明図である。
【図８】この発明の実施形態の液冷装置の他の例を示した説明図である。
【図９】この発明の実施形態の液冷装置の他の例を示した説明図である。
【図１０】同図（ａ）乃至（ｄ）はそれぞれ冷却液タンク２２Ｆの形状例を示した斜視図である。
【図１１】同図（ａ）は図９に示した液冷装置の４５度斜め配置状態を示した説明図であり、同図（ｂ）は図９に示した液冷装置の９０度斜め配置状態を示した説明図である。
【図１２】同図（ａ）乃至（ｃ）はそれぞれ冷却液タンク２２Ｆの断面形状例を示した断面図である。
【図１３】この発明の実施形態の液冷装置の他の例を示した説明図である。
【図１４】この発明の実施形態の液冷装置の他の例を示した説明図である。
【図１５】この発明の実施形態の液冷装置の他の例を示した説明図である。
【図１６】この発明の実施形態の液冷装置の他の例を示した説明図である。
【図１７】この発明の実施形態の液冷装置の他の例を示した説明図である。
【図１８】同図（ａ）は冷却液タンク２２Ｊの形状例を示した斜視図であり、同図（ｂ）は冷却液タンク２２Ｋの形状例を示した斜視図である。
【図１９】この発明の液冷装置を投写型映像表示装置に適用した例を示した説明図である。
【図２０】この発明の液冷装置を投写型映像表示装置に適用した例を示した説明図である。
【図２１】投写型映像表示装置に空冷装置を適用する場合を示した参考図である。
【図２２】この発明の液冷装置を投写型映像表示装置に適用した例を示した説明図である。
【図２３】この発明の液冷装置を投写型映像表示装置に適用した例を示した説明図である。
【図２４】この発明の液冷装置が適用された投写型映像表示装置の取り付け構造を示した説明図である。
【図２５】従来の液冷装置を示した説明図である。
【符号の説明】
【００８９】
２１Ａ，２１Ｂ  ラジエータ部
２１ａ  ラジエータ内配管
２２Ａ，２２Ｂ，２２Ｃ，２２Ｄ，２２Ｅ，２２Ｆ，２２Ｇ，２２Ｈ，２２Ｉ，２２Ｊ，２２Ｋ  冷却液タンク
２３  循環用冷却液配管
２４  ポンプ
２５  液冷ジャケット
【図１】
2007264590.tif 000003
【図２】
2007264590.tif 000004
【図３】
2007264590.tif 000005
【図４】
2007264590.tif 000006
【図５】
2007264590.tif 000007
【図６】
2007264590.tif 000008
【図７】
2007264590.tif 000009
【図８】
2007264590.tif 000010
【図９】
2007264590.tif 000011
【図１０】
2007264590.tif 000012
【図１１】
2007264590.tif 000013
【図１２】
2007264590.tif 000014
【図１３】
2007264590.tif 000015
【図１４】
2007264590.tif 000016
【図１５】
2007264590.tif 000017
【図１６】
2007264590.tif 000018
【図１７】
2007264590.tif 000019
【図１８】
2007264590.tif 000020
【図１９】
2007264590.tif 000021
【図２０】
2007264590.tif 000022
【図２１】
2007264590.tif 000023
【図２２】
2007264590.tif 000024
【図２３】
2007264590.tif 000025
【図２４】
2007264590.tif 000026
【図２５】
2007264590.tif 000027